(57)【要約】【課題】直径が小さい長尺異物がドアに挟まれた状態で乗りかごが昇降することを防止できるエレベータの出入口安全装置の提供。【解決手段】上部がドアレール１に案内され、下部がドアシュー６を介して敷居４に案内されて開閉移動するエレベータのドア３Ａ，３Ｂに適用され、ドア３Ａ，３Ｂの閉じ端側下部に設けられ、ドア３Ａ，３Ｂが閉まる際にドア３Ａ，３Ｂの下部に挟まれる紐８を切断する刃７Ａ，７Ｂを備えた。【選択図】図１
2011020823.tif 000002
【特許請求の範囲】
【請求項１】
上部がドアレールに案内され、下部がドアシューを介して敷居に案内されて開閉移動するエレベータのドアに適用され、
前記ドアの閉じ端側下部に設けられ、前記ドアが閉まる際に前記ドアの下部に挟まれる長尺異物を切断する切断部を備えたことを特徴とするエレベータの出入口安全装置。
【請求項２】
請求項１に記載のエレベータの出入口安全装置において、
前記切断部は、前記長尺異物を切断する刃と、この刃を前記ドアの開閉方向に沿って覆う保護カバーとを備えたことを特徴とするエレベータの出入口安全装置。
【請求項３】
請求項１又は２に記載のエレベータの出入口安全装置において、
前記ドアは閉じ端側を中央とする両開きのドアであることを特徴とするエレベータの出入口安全装置。
【請求項４】
請求項１又は２に記載のエレベータの出入口安全装置において、
前記ドアは片開きのドアであることを特徴とするエレベータの出入口安全装置。
【発明の詳細な説明】
【技術分野】
【０００１】
本発明は、上部がドアレールに案内され、下部がドアシューを介して敷居に案内されて開閉移動するエレベータのドアに備えられるエレベータの出入口安全装置に関する。
【背景技術】
【０００２】
従来より、乗客や搬入物等がエレベータの乗りかごに乗降する際にドアに挟まれないように、エレベータのドアにはこれら乗客や搬入物等を検出してドアを閉扉動作から開扉動作へ反転させるドアセフティ等の安全装置が設けられている。
【０００３】
しかし、このような安全装置では細い軟性の紐状体の長尺異物、例えば掃除機の電源コードあるいはペットのリード線等を検出することができず、特にこれらの長尺異物がドアの下端と敷居との隙間に巻き込まれた場合には、これらを検出することが非常に困難となっている。そのため、これらの掃除機の電源コードあるいはペットのリード線等がドアに挟み込まれた場合に検出されずにそのまま乗りかごが昇降するので、非常に危険である。
【０００４】
そこで、長尺異物の検出を容易にするものとして、上部がドアレールに案内され、下部がこのドアレールと平行な敷居に案内されて横方向に開閉するドアの戸当たり側、すなわち閉じ端側の高さ方向に沿って接触圧力を検出する圧力検出手段を設けると共に、ドアの下端の閉じ端側に位置し、ドアの閉動作時に敷居上の長尺異物を圧力検出手段へ誘導する異物誘導手段を設けたエレベータ用ドア装置が提案されている（例えば、特許文献１参照）。
【先行技術文献】
【特許文献】
【０００５】
【特許文献１】特開２００７−３２６６９９号公報
【発明の概要】
【発明が解決しようとする課題】
【０００６】
しかし、特許文献１に開示されたエレベータ用ドア装置では、ドアが閉まる際にドアの下部で挟まれた長尺異物の直径が非常に小さい場合、この長尺異物を上述の異物検出手段で圧力検出手段の検出可能な位置まで移動させてもこの長尺異物の接触圧力を検出することができない虞がある。そのため、この長尺異物が検出されずにそのままドアに挟まれた状態で乗りかごが昇降し、エレベータの機器破損あるいは乗客の人身事故に繋がることが懸念される。また、従来技術のこれら異物検出手段又は圧力検出手段が故障等して動作しない場合にも、同様に長尺異物がドアに挟まれた状態で乗りかごが昇降し、非常に危険である。
【０００７】
本発明は、このような従来技術の実情からなされたもので、その目的は、直径が小さい長尺異物がドアに挟まれた状態で乗りかごが昇降することを防止できるエレベータの出入口安全装置を提供することにある。
【課題を解決するための手段】
【０００８】
上記の目的を達成するために、本発明のエレベータの出入口安全装置は、上部がドアレールに案内され、下部がドアシューを介して敷居に案内されて開閉移動するエレベータのドアに適用され、前記ドアの閉じ端側下部に設けられ、前記ドアが閉まる際に前記ドアの下部に挟まれる長尺異物を切断する切断部を備えたことを特徴としている。
【０００９】
このように構成した本発明は、ドアが閉まる際にドアの下部で挟まれた長尺異物の直径が非常に小さい場合においても、ドアの閉じ端側下部に設けられた切断部によってドアが閉まる際にこの長尺異物を切断できるので、この長尺異物がそのままドアに挟まれた状態で乗りかごが昇降することを防止することができる。これにより、エレベータの高い耐久性及び安全性を確保することができる。
【００１０】
また、本発明に係るエレベータの出入口安全装置は、前記発明において、前記切断部は、前記長尺異物を切断する刃と、この刃を前記ドアの開閉方向に沿って覆う保護カバーとを備えたことを特徴としている。このように構成すると、ドアが閉まる際に保護カバーによって長尺異物以外のものが直接刃に接触することを防止できるので、例えば人間の足やペットが刃と接触して怪我をしたり、あるいは乗客の荷物等を乗りかごに載せる際にこれらの荷物が破損することを防止することができる。さらに、この保護カバーによって刃が長尺異物以外の硬いものに直接当接して破損することを防止することができる。このように、エレベータの安全性をさらに向上させることができると共に、切断部の高い耐久性を得ることができる。
【００１１】
また、本発明に係るエレベータの出入口安全装置は、前記発明において、前記ドアは閉じ端側を中央とする両開きのドアであることを特徴としている。このように構成すると、エレベータのドアに一般的に普及されている両開きのドアに適用することができ、このドアの中央の下部で長尺異物が挟まれてもこの長尺異物を切断することができる。
【００１２】
また、本発明に係るエレベータの出入口安全装置は、前記発明において、前記ドアは片開きのドアであることを特徴としている。このように構成すると、エレベータのドアに一般的に普及されている片開きのドアに適用することができ、このドアの閉じ端側の下部で長尺異物が挟まれてもこの長尺異物を切断することができる。
【発明の効果】
【００１３】
本発明のエレベータの出入口安全は、上部がドアレールに案内され、下部がドアシューを介して敷居に案内されて開閉移動するエレベータのドアに適用され、ドアの閉じ端側下部に設けられ、ドアが閉まる際にドアの下部に挟まれる長尺異物を切断する切断部を備えている。そのため、ドアが閉まる際にドアの下部で挟まれた長尺異物の直径が非常に小さい場合においても、ドアが閉まる際に切断部でこの長尺異物を切断することができる。これにより、従来技術で用いた圧力検出手段でこの長尺異物の接触圧力が検出されなくても、この長尺異物がそのままドアに挟まれた状態で乗りかごが昇降することを防止できる。さらに、従来技術の異物検出手段又は圧力検出手段が故障等して動作しない場合でも長尺異物がドアに挟まれたまま乗りかごが昇降する危険もなく、エレベータの高い耐久性及び安全性を確保することができる。
【図面の簡単な説明】
【００１４】
【図１】本発明に係るエレベータの出入口安全装置の第１実施形態の構成を示す正面図である。
【図２】図１に示す本発明の第１実施形態に備えられる切断部を拡大して示す図であり、（ａ）図は正面図、（ｂ）図は平面図である。
【図３】図２に示す切断部の片を示す図であり、（ａ）図は正面図、（ｂ）図は平面図、（ｃ）図は側面図である。
【図４】本発明に係るエレベータの出入口安全装置の第２実施形態に備えられる切断部を拡大して示す図であり、（ａ）図は正面図、（ｂ）図は平面図である。
【図５】図４に示す切断部の片を示す図であり、（ａ）図は正面図、（ｂ）図は平面図、（ｃ）図は側面図である。
【図６】図４に示す本発明の第２実施形態の動作を説明する図である。
【発明を実施するための形態】
【００１５】
以下、本発明に係るエレベータの出入口安全装置を実施するための形態を図に基づいて説明する。
【００１６】
［第１実施形態］
図１に示すように、本発明に係るエレベータの出入口安全装置の第１実施形態は、上部に設置されたドアレール１と、下部にこのドアレール１と平行に設置された敷居４とを備えている。また、本発明の第１実施形態は、上部に設けられたハンガーローラ２を介してドアレール１に案内されると共に、下部に設けられたドアシュー６を介して敷居４に案内されてそれぞれ開閉移動する両開きのドア３Ａ，３Ｂを備えている。ここで、便宜的に正面から見て左側のドアを左側ドア３Ａ，右側のドアを右側ドア３Ｂと呼ぶことにする。なお、敷居４の中央には直径の小さな長尺異物、例えば紐８が置かれている。
【００１７】
図２に示すように、左側ドア３Ａは、閉じ端側下部に設けられ、紐８を切断する切断部、例えば刃７Ａを備えている。この刃７Ａは、図３に示すように下方に行くに従って右側ドア３Ｂに近づくテーパ状に形成してある。
【００１８】
同様に、右側ドア３Ｂは、閉じ端側下部に設けられ、紐８を切断する切断部、例えば刃７Ｂとを備えている。この刃７Ｂは、図示されていないが上方に行くに従って左側ドア３Ａに近づくテーパ状に形成してある。そして、これらの刃７Ａ，７Ｂは、図２（ａ）に示すように敷居４の溝に配置され、さらに図２（ｂ）に示すようにドア３Ａ，３Ｂが閉まる際に裏面が互いに擦り合うように敷居４の幅方向にずらして配置されている。
【００１９】
このように構成した本発明の第１実施形態は、図２に示すようにドア３Ａ，３Ｂが閉まる際に刃７Ａ，７Ｂが中央に向かって敷居４の溝を移動する。そして、図１に示すように紐８が敷居４上に置かれている場合、この刃７Ａあるいは刃７Ｂが紐８と当接してこの紐８を中央に誘導し、ドア３Ａ，３Ｂが閉じる際に刃７Ａ，７Ｂが互いに擦り合うことによってこの紐８を切断する。このように、敷居４上に直径が小さい紐８が置かれている場合においても、ドア３Ａ，３Ｂの閉じ端側下部に設けられた刃７Ａ，７Ｂによってドア３Ａ，３Ｂが閉まる際にこのような紐８を切断できるので、この紐８がそのままドア３Ａ，３Ｂに挟まれた状態で乗りかごが昇降することを防止することができる。これにより、エレベータの高い耐久性及び安全性を確保することができる。
【００２０】
［第２実施形態］
図４は本発明に係るエレベータの出入口安全装置の第２実施形態に備えられる切断部を拡大して示す図であり、（ａ）図は正面図、（ｂ）図は平面図、図５は図４に示す切断部の片を示す図であり、（ａ）図は正面図、（ｂ）図は平面図、（ｃ）図は側面図、図６は図４に示す本発明の第２実施形態の動作を説明する図である。
【００２１】
図４、図５に示すように、本発明の第２実施形態が前述した第１実施形態と異なるのは、ドア３Ａ，３Ｂの切断部が、刃７Ａ，７Ｂをドア３Ａ，３Ｂの開閉方向に沿って覆う保護カバー９Ａ，９Ｂをそれぞれ備えたことであり、その他の構成は第１実施形態と同じである。この場合、図５に示すように保護カバー９Ａは、閉じ端側を開口させて刃７Ａを覆い、さらに図４（ｂ）に示すように閉じ端側を刃７Ａよりも閉扉方向へ突出させている。同様に、図示されていないが保護カバー９Ｂは、閉じ端側を開口させて刃７Ｂを覆い、さらに閉じ端側を刃７Ｂよりも閉扉方向へ突出させている。そして、これらの保護カバー９Ａ，９Ｂは、刃７Ａ，７Ｂと同様に敷居４の溝を走行するものであり、ドア３Ａ，３Ｂが閉まる際に互いに接触しないように敷居４の幅方向にずらして配置されている。
【００２２】
このように構成した本発明の第２実施形態は、上述の第１実施形態と同様にドア３Ａ，３Ｂが閉まる際に刃７Ａ，７Ｂが中央に向かって敷居４の溝を移動する。このとき、紐８が敷居４上に置かれている場合、図６に示すようにこの保護カバー９Ａあるいは保護カバー９Ｂが紐８と当接してこの紐８を中央に誘導すると、保護カバー９Ａ，９Ｂが敷居４の幅方向に重なり合う際に形成される隙間に沿って紐８が変形する。そして、ドア３Ａ，３Ｂが閉じる際に刃７Ａ，７Ｂが互いに擦り合うことによってこの紐８を切断する。このように、敷居４上に直径が小さい紐８が置かれている場合においても、第１実施形態と同様にドア３Ａ，３Ｂの閉じ端側下部に設けられた刃７Ａ，７Ｂによってドア３Ａ，３Ｂが閉まる際に直径の小さな紐８を切断することができる。
【００２３】
また、本発明の第２実施形態は、刃７Ａ，７Ｂを保護カバー９Ａ，９Ｂで覆うことにより、紐８以外のものが刃７Ａ，７Ｂに直接当接することを防止できるので、例えば乗りかごへ乗降する際に乗客やペットが刃と接触して怪我をしたり、あるいは乗客の荷物等を乗りかごに載せる際にこれらの荷物が破損することを防止することができる。さらに、この保護カバー９Ａ，９Ｂによって刃７Ａ，７Ｂが紐８以外の硬いものに直接当接して破損することを防止することができる。このように、エレベータの安全性をさらに向上させることができると共に、刃７Ａ，７Ｂに掛かる負担を軽減して刃７Ａ，７Ｂの高い耐久性を得ることができる。
【００２４】
なお、上述した各第１、第２実施形態は、エレベータのドア３Ａ，３Ｂが閉じ端側を中央とする両開きのドアである場合について説明したが、エレベータのドアが両開きのドアの代わりに片開きのドアであっても良い。このように、本発明は、エレベータのドアが両開きのドア及び片開きのドアの双方に適用することができ、汎用性が高い。
【００２５】
また、各第１、第２実施形態は、刃７Ａが下方に行くに従って右側ドア３Ｂに近づくテーパ状に形成されており、刃７Ｂが上方に行くに従って右側ドア３Ｂに近づくテーパ状に形成されている場合について説明したが、紐８等の直径の小さな長尺異物を切断可能な形状であればこれらの形状に限らない。
【符号の説明】
【００２６】
１  ドアレール
２  ハンガーローラ
３Ａ  左側かごドア
３Ｂ  右側かごドア
４  敷居
６  ドアシュー
７Ａ，７Ｂ  刃
８  紐（長尺異物）
９Ａ，９Ｂ  保護カバー
【図１】
2011020823.tif 000003
【図２】
2011020823.tif 000004
【図３】
2011020823.tif 000005
【図４】
2011020823.tif 000006
【図５】
2011020823.tif 000007
【図６】
2011020823.tif 000008